(57)【要約】【課題】本発明は、防水型電気コネクタに関し、従来の防水型電気コネクタにおいて複数連の電気コネクタを一体に成形した場合に、その長手方向に大きなソリが発生することが課題であって、それを解決することである。【解決手段】複数個の電気コネクタを一枚の合成樹脂板に一体に並設させて成形してなる防水型電気コネクタにおいて、前記複数個の電気コネクタをそれぞれ一次成形し、前記一次成形した電気コネクタを、並設させて連結用フランジで二次成形されて一連に成形されて成る防水型電気コネクタ１とする。【選択図】図１
2014056744.tif 000002
【特許請求の範囲】
【請求項１】
複数個の電気コネクタを一枚の合成樹脂板に一体に並設させて成形してなる防水型電気コネクタにおいて、
前記複数個の電気コネクタをそれぞれ一次成形し、
前記一次成形した電気コネクタを、並設させて連結用フランジで二次成形されて一連に成形されて成ること
を特徴とする防水型電気コネクタ。
【請求項２】
一次成形した電気コネクタは、二次成形する部分において二次成形用モールドと溶融する薄さにしたリブが１以上突設されていること、
を特徴とする請求項１に記載の防水型電気コネクタ。
【請求項３】
複数個の電気コネクタを一枚の合成樹脂板に一体に並設させて成形してなる防水型電気コネクタの製造方法において、
前記複数個の電気コネクタをそれぞれ一次成形するとともに、
二次成形する部分の表面において二次成形用モールドと溶融する薄さにしたリブを１以上突設し、
前記一次成形した電気コネクタを、並設させて連結用フランジで二次成形させ一連に成形すること
を特徴とする防水型電気コネクタの製造方法。
【発明の詳細な説明】
【技術分野】
【０００１】
本発明は、例えば、太陽光発電装置等の電気接続に使用される防水型電気コネクタおよびその製造方法に関するものである。
【背景技術】
【０００２】
従来、太陽光発電装置等に使用されるインターフェースコネクタは、太陽光パネルや接続用コネクタが屋外に設置される環境なので、防水型電気コネクタが使用される。そして、その防水型電気コネクタを形成する上で、複数個の電気コネクタを１枚板の樹脂板に一体にして成形することで、防水性を確保することが行われている。
【０００３】
なお、防水型の電気コネクタにおいて、従来の防水方法として特許文献１に記載されているように、同様形状の複数の防水栓同士を密接させて水密構造にすることで、小型化した防止型電気コネクタが知られている。また、複数のインターフェイス用電気コネクタを一枚の合成樹脂板に固着するものにおいては、複数個の電気コネクタを金型に設置して一体成形するものが知られている。
【先行技術文献】
【特許文献】
【０００４】
【特許文献１】特開平０６−１７６８１５号公報
【発明の概要】
【発明が解決しようとする課題】
【０００５】
しかし、従来の防水型電気コネクタにおいて、電気コネクタと該電気コネクタ取付用の穴を設けた平板状の連結板とで形成すると、取付穴部分にゴム等のパッキンが必要であり部品点数が増え、取付工数が増し、取付穴からの水漏れ等の水密性を高度に維持するのが困難である。それに対して、２連，３連等の複数連の防水インターフェースコネクタを、最初から一体の絶縁体で成形すると、図７に示すように、表側と裏側との形状がいびつなため、長手方向に大きなソリが発生する。これにより、組立性および防水性が確保できないという課題がある。本発明に係る防水型電気コネクタとその製造方法は、このような課題を解決するために提案されたものである。
【課題を解決するための手段】
【０００６】
本発明に係る防水型電気コネクタの上記課題を解決して目的を達成するための要旨は、複数個の電気コネクタを一枚の合成樹脂板に一体に並設させて成形してなる防水型電気コネクタにおいて、前記複数個の電気コネクタをそれぞれ一次成形し、前記一次成形した電気コネクタを、並設させて連結用フランジで二次成形されて一連に成形されて成ることである。
【０００７】
前記一次成形した電気コネクタは、二次成形する部分の表面において二次成形用モールドと溶融する薄さにしたリブが１以上突設されていることを含むものである。
【０００８】
本発明に係る防水型電気コネクタの製造方法の上記課題を解決して目的を達成するための要旨は、複数個の電気コネクタを一枚の合成樹脂板に一体に並設させて成形してなる防水型電気コネクタの製造方法において、前記複数個の電気コネクタをそれぞれ一次成形するとともに、二次成形する部分において二次成形用モールドと溶融する薄さにしたリブを１以上突設し、前記一次成形した電気コネクタを、並設させて連結用フランジで二次成形させ一連に成形することである。
【発明の効果】
【０００９】
本発明の防水型電気コネクタとその製造方法によれば、複数連のインターフェイス用の電気コネクタを、予め一次成形することで連結用フランジが二次成形されてソリの発生が無くなり、防水性能を高度に維持することができる。一次成形の電気コネクタにおいてリブを設けることで、二次成形の合成樹脂との結合を強化して防水効果を高められるものである。更に、このリブの厚さを二次成形用モールドと溶融する薄さにしてあるので、合成樹脂同士の溶融により防水効果が高度に維持される、と言う優れた効果を奏するものである。
【図面の簡単な説明】
【００１０】
【図１】本発明に係る防水型電気コネク１の斜視図（Ａ）と、その一部を断面にして示す斜視図（Ｂ）とである。
【図２】同本発明の防水型電気コネクタ１に係る一次成形段階の各電気コネクタ１ａ〜１ｃを並設した状態の平面図である。
【図３】同本発明の防水型電気コネクタ１に係る一次成形段階の各電気コネクタ１ａ〜１ｃを並設した状態の斜視図である。
【図４】同本発明の防水型電気コネクタ１に係り、一次成形段階の各電気コネクタ１ａ〜１ｃを二次成形した状態の側面図（Ａ）と、その一部を断面にして示す側面図（Ｂ）である。
【図５】同本発明の防水型電気コネクタ１に係る平面図（Ａ）と正面図（Ｂ）とである。
【図６】同本発明の他の実施例に係る防水型電気コネクタ１ｆを平面視したもので、２連の場合の二次成形における金型のゲートの位置を示す平面図である。
【図７】従来例に係る防水型電気コネクタ１ｇであって、連結用フランジにおいてその長手方向にソリが発生した状態を示す平面図である。
【発明を実施するための形態】
【００１１】
本発明に係る防水型電気コネクタおよびその製造方法は、図１に示すように、複数連の電気コネクタ１ａ〜１ｃを絶縁物で一体成形するときに、オーバーモールドにより防水性を確保するものである。
【実施例１】
【００１２】
太陽光発電装置のインターフェイスコネクタとして、図１に示すように、複数個の電気コネクタ１ａ〜１ｃを一枚の合成樹脂板（連結用フランジ）１ｅに一体に並設させて成形してなる防水型電気コネクタ１において、図２乃至図３に示すように、前記複数個の電気コネクタ１をそれぞれ一次成形する。
【００１３】
そして、前記一次成形した電気コネクタ１ａ〜１ｃを、並設させて連結用フランジ１ｅで二次成形されて一連に成形されて成るものである。
【００１４】
前記 一次成形した電気コネクタ１ａ〜１ｃは、図２乃至図３に示すように、二次成形する予定の範囲とする部分の表面において、二次成形用モールドと溶融する薄さにしたリブ１ｄが１以上突設されている。この一実施例では、２カ所に設けられている。
【００１５】
前記リブ１ｄのうち、１カ所のリブ１ｄは環状の突起であり、他のリブ１ｄは所用幅の環状突起の円周表面の一部に、環状の凹部が設けられて成るものである。
【００１６】
こうして、複数個の電気コネクタを一枚の合成樹脂板に一体に並設させて成形してなる防水型電気コネクタの製造方法において、前記複数個の電気コネクタをそれぞれ一次成形するとともに、二次成形する部分の表面において二次成形用モールドと溶融する薄さにしたリブを１以上突設する。
【００１７】
その後、前記一次成形した電気コネクタを、二次成形用の金型の中に並設させて、連結用フランジ１ｅで二次成形させ一連に成形する。なお、一次成形と二次成形とにおける合成樹脂は同じ樹脂材料とするか、一次成形と二次成形との合成樹脂の溶融温度が近い材料にするものである。
【００１８】
その結果、図４乃至図５に示すように、前記連結用フランジ１ｅにおいて、長手方向にソリが無く、防水性能が高く維持されるものである。また、前記一次成形と二次成形における合成樹脂を同じにして、リブの厚さを二次成形のモールドと溶融する厚さとしているので、当該リブと二次成形モールドとが融着して水密に接合され、防水性能が高度に維持されるものである。
【００１９】
なお、二次成形における金型のゲートの位置に関しては、図５に示すように、３連の電気コネクタ１ａ〜１ｃを二次成形する場合には、リブ１ｄに近い位置にすべく二カ所の中間の位置１ｈにし、図６に示すように、２連の電気コネクタ１ｂ，１ｃを二次成形する場合には量電気コネクタ１ｂ，１ｃの中間に一カ所の位置１ｈにゲート位置を設けるものである。
【産業上の利用可能性】
【００２０】
本発明に係る防水型電気コネクタによれば、複数連のコネクタなどを連結用フランジで一連に成形する際に広く適用することができる。
【符号の説明】
【００２１】
１        防水型電気コネクタ、
１ａ，１ｂ，１ｃ          一次成形の電気コネクタ      
１ｄ      リブ、
１ｅ      連結用フランジ、
１ｆ      他の実施例に係る防水型電気コネクタ、  
１ｇ      従来例に係る防水型電気コネクタ、
１ｈ      金型のゲート位置。
【図１】
2014056744.tif 000003
【図２】
2014056744.tif 000004
【図３】
2014056744.tif 000005
【図４】
2014056744.tif 000006
【図５】
2014056744.tif 000007
【図６】
2014056744.tif 000008
【図７】
2014056744.tif 000009